(57)【要約】【課題】異常状態を利用者及び修理サービスマンや専門者に適した表示を行う。【解決手段】少なくとも直流電力を交流電力に変換する変換部を有する本体と、少なくとも本体からの信号を受信可能に成した表示器２１と、本体が特定の異常状態を検出した際に異常を意味する本体用のコード、記号、文字列などを本体の表示部１６に表示させると共に、本体用のコード、記号、文字列とは異なり特定の異常状態につながる意味を示す表示器用のコード、記号、文字列に対応する信号を表示器２１へ送信する制御部とを備える。【選択図】図１
2015029368.tif 000002
【特許請求の範囲】
【請求項１】
太陽電池などの再生可能エネルギーに基づく直流電力を交流電力に変換して系統へ重畳可
能に成した電力変換装置において、少なくとも前記直流電力を交流電力に変換する変換部
を有する本体と、少なくとも当該本体からの信号を受信可能に成した表示器と、前記本体
が特定の異常状態を検出した際に当該異常を意味する本体用のコード、記号、文字列など
を前記本体の表示部に表示させると共に、前記本体用のコード、記号、文字列とは異なり
前記特定の異常状態につながる意味を示す表示器用のコード、記号、文字列に対応する信
号を前記表示器へ送信する制御部とを備えることを特徴とする電力変換装置。
【請求項２】
表示器用のコード、記号、文字列などは本体用のコード、記号、文字列などの一部で構成
されていることを特徴とする請求項１に記載の電力変換装置。
【請求項３】
前記特定の異常状態は太陽電池の異常であり、前記本体の表示部に表示される本体用のコ
ード、記号、文字列などは異常状態にある太陽電池を示すものであることを特徴とする請
求項２に記載の電力変換装置。
【発明の詳細な説明】
【技術分野】
【０００１】
本発明は再生可能エネルギーに基づく直流電力を交流電力に変換する電力変換装置の異常
状態の表示に関するものである。
【背景技術】
【０００２】
電力変換器には表示部を有する本体、及び表示器を有するリモートコントローラを備え
るものがあり、表示部には通常運転／停止など安易な表示を行い、表示器には電力変換装
置の出力量の瞬時値、累積値など利用者に向けた情報の表示を行うものがあった（特許文
献１）。リモートコントローラには電力変換装置の運転／停止を行う操作部などを備える
ものであった。
【先行技術文献】
【特許文献】
【０００３】
【特許文献１】特許第４９８６４３０号公報
【発明の概要】
【発明が解決しようとする課題】
【０００４】
電力変換装置の出力増加にかかり、直流電力を複数組み合わせることが考えられている。
例えば、太陽電池であれば複数の太陽電池パネルをまとめたストリングを複数ストリング
接続したり、風力発電であれば複数の発電機を接続したりすることができるが、この電力
変換装置を含むシステムが大きくなるにつれて、故障などの異常状態が生じた際の原因特
定の容易性が失われる。
【０００５】
特に、電力変換装置を小規模に適用した場合や、家庭用として適用した場合などでは、
異常状態に際しては修理サービスマンや専門者が対応するのが通常であり利用者向けの表
示器に原因特定までの情報の表示を行う必要はない。利用者へは修理サービスマンや専門
者の対応が必要である旨が伝われば良い。
【課題を解決するための手段】
【０００６】
本発明の電力変換装置は、少なくとも直流電力を交流電力に変換する変換部を有する本体
と、少なくとも当該本体からの信号を受信可能に成した表示器と、本体が特定の異常状態
を検出した際に当該異常を意味する本体用のコード、記号、文字列などを本体の表示部に
表示させると共に、本体用のコード、記号、文字列とは異なり特定の異常状態につながる
意味を示す表示器用のコード、記号、文字列に対応する信号を表示器へ送信する制御部と
を備えることを特徴とするものである。
【発明の効果】
【０００７】
本発明の電力変換装置は、特定の異常状態の表示内容を本体の表示部と表示器とで変える
ことにより利用者、修理サービスマンや専門者などに適した表示が行えるものである。
【図面の簡単な説明】
【０００８】
【図１】図１は本発明の一実施例を示す説明図である。
【図２】図１は本発明のリモートコントローラの一実施例を示す説明図である。
【発明を実施するための形態】
【０００９】
本発明は電力変換装置の本体の表示部の表示を表示器の表示より異常状態をより認知でき
る表示とすることにより夫々に適した表示を実現したものである。
【実施例１】
【００１０】
図１は、本発明の一実施例を示す説明図であり、Ａ乃至Ｅは再生可能エネルギーに基づ
く直流電源であり、例えば太陽電池や燃料電池であれば直流電力が供給され、風力発電な
どであれば交流電力を整流（もしくは整流平滑）した直流電力が供給される。以下、スト
リング（複数の太陽電池をまとめて一つの直流電力出力としたもの）Ａ乃至Ｅとして実施
例を説明する。１は電力変換装置であり、この電力変換装置１の出力は系統Ｇへ重畳され
る。
【００１１】
ストリングＡ乃至Ｅは夫々が対応する入力回路２ａ乃至２ｅの仕様に合致するように複
数の太陽電池パネルを並列及び／又は直列に接続して構成したものである。入力回路の仕
様としては最大直流電圧＝４５０Ｖ、最大直流電流＝１０Ａ、最大電力＝１．５ｋＷなど
である。尚、接続するストリングの数はＡ乃至Ｅの５台に限るものではない。
【００１２】
入力回路２ａ乃至２ｅは同じ回路を用いることができるので入力回路２ａを説明し入力
回路２ｂ乃至２ｅの説明は省略する。入力回路２ａには太陽電池のストリングＡが正極及
び負極の入力端子を介して接続され、入力回路２ａの（直流）入力電圧（ストリングＡの
出力電圧に相当）を電圧検出器３で検出し、入力回路２ａの（直流）入力電流（ストリン
グＡの出力電流に相当）を電流検出器４で検出する。
【００１３】
電圧検出器３は印加される電圧を必要に応じて分圧し、Ａ／Ｄ（アナログ／デジタル）
変換した後、デジタルの電圧値として制御部５へ供給する。尚、制御部５もしくは制御部
５のマイクロプロセッサ等の制御素子がＡ／Ｄ変換部を有している場合は、この電圧検出
器３は抵抗分圧による分圧部の構成でも良い。
【００１４】
電流検出器４は供給される電流を検出するものであり、シャント抵抗による電圧降下を
検出するもの、ホール効果を利用する非接触型のものなどがあり検出した電流量に相当す
る電圧を出力するものである。この電圧は電圧検出器３の出力と同様に制御部５へ供給さ
れる。
【００１５】
入力回路２ａは直流電圧の昇圧部を備え、この昇圧部としては少なくともリアクタ６、
スイッチング素子７、ダイオード８、コンデンサ９から構成され、コンデンサ９の端子電
圧が目標電圧になるようにスイッチング素子７のオンデューティ比（例えばスイッチング
周期は２〜３Ｋｚ）をフィードバック制御する一般的なＤＣ／ＤＣコンバータを用いるこ
とができる。ダイオード１０は入力回路を複数用いた際の逆流防止に用いられている。
【００１６】
ダイオード１０を介して出力された直流電力は他の入力回路２ｂ乃至２ｅの出力とまと
められて中間電圧を供給するコンデンサ１１へ供給される。この中間電圧は４個のスイッ
チング素子を単相ブリッジ状に接続してＤ／Ａ（デジタル／アナログ）変換を行うインバ
ータ部１２へ供給される。
【００１７】
インバータ部１２は、系統Ｇの周波数と同等の周波数の変調波と搬送波との大小を比較し
て得られるスイッチング信号に基づいて夫々のスイッチング素子をＯＮ／ＯＦＦさせて系
統Ｇと実質的に同一周波数の疑似正弦波の交流電力を出力する。この疑似正弦波はリアク
タ１３、１４及びコンデンサ１５から成るフィルタ回路で高周波成分を減衰させた後系統
Ｇへ重畳されるものである。
【００１８】
制御部５は、昇圧部の目標電圧、系統Ｇへ重畳される交流電圧のピーク値（又は実効電圧
や平均電圧でもよい）などを系統Ｇへ重畳する交流電力が最大（もしくは最大付近や目標
電力値）になるように制御する。この際、電圧検出器３、電流検出器４の各検出値からス
トリングＡの発電電力を算出して前記制御に加味している。すなわちストリングＡ乃至ス
トリングＥの総発電電力がインバータ部から系統Ｇへ供給される電力を超えないように制
御している。
【００１９】
１６は表示部であり、汎用の７セグメント／８セグメントの表示器や液晶表示器など数
字、記号、文字などを表示できるものであればよく、制御部５からの信号に基づき、数字
、記号、文字を組み合わせて特定のコードを表示するものである。この表示には発電電力
の総和値、発電量の累積値、異常状態を示すエラーコードなどがある。例えばエラーコー
ドは、Ｆ１乃至Ｆ１０であり、特にＦ３はストリングの異常状態に対応し、Ａ乃至Ｅのア
ルファベットを追記したＦ３Ａ乃至Ｆ３Ｅの表示で異常状態のストリングがストリングＡ
乃至ストリングＥのいずれであるかを表示できるものである。
【００２０】
例えば特定の異常状態Ｆ３は、例えば入力回路の仕様として記憶されている最大直流電
圧＝４５０Ｖを電圧検出器３の検出する電圧値が超えた場合、最大直流電流＝１０Ａを電
流検出器４の検出する電流値が超えた場合、最大電力＝１．５ｋＷを電圧検出器３と電流
検出器４で算出される値が超えた場合に制御部５で判断され、エラーコードＦ３に異常状
態が判断されたストリングを表すアルファベットを付記して表示部１６に表示される（エ
ラーコードＦ３Ａ乃至エラーコードＦ３Ｅ）。尚、異常状態の表示は操作部（図示せず）
の操作に応答して切り換わるように、または表示がなされるように成すことも可能である
。
【００２１】
１７は通信インターフェース部であり、図２に示すリモートコントローラ２０と表示用
のデータや操作信号などの送受が行えるように成されている。このデータや信号の送受は
無線の信号を用いるもの、有線の信号を用いるもの、ＬＡＮなどのネットワーク回線を用
いるものなどを利用することが可能であり、本発明ではいずれを用いてもよく、この場合
は作用効果に変わりはないものである。
【００２２】
図２において、２１は表示器であり、インターフェース部１７から送信されてくる信号
（データ）に基づいて表示を行い、表示部１６と同様に汎用の７セグメント／８セグメン
トの表示器や液晶表示器を用いることができる。２２ａ、２２ｂ、２２ｃは操作スイッチ
であり、運転／停止、表示の切換（発電電力／発電電力の累積）、運転モードの変更など
に対応するものである。これら操作スイッチの操作信号はリモートコントローラ２０から
インターフェース部１７を介して制御部５へ送られるものである。
【００２３】
制御部５がＦ３にかかる特定の異常状態を判断した場合、例えばストリングＡにかかる
異常状態であれば、制御部５は表示部１６にはエラーコードＦ３Ａの表示を行い、リモー
トコントローラ２０の表示器にはエラーコードＦ３の表示を行わせる信号（データ）を送
信するものである。このエラーコードＦ３はエラーコードＦ３Ａと異なるが類似している
ため利用者は、このエラーコードＦ３が特定の異常状態（エラーコードＦ３Ａ）につなが
る意味を有していることを容易に得ることができる。
【００２４】
従って、利用者が通常に操作もしくは表示を見るリモートコントローラ２０には単にス
トリングに異常が生じたことを推測できる表示がされ、ストリングＡ乃至ストリングＥの
いずれが異常状態にあるかは特定されない。一方、修理サービスマンや専門者が状況を確
認する表示部１６にはエラーコードＦ３にストリングを特定するアルファベットが付記さ
れて表示されるので、どのストリングが異常状態に至ったかが示されるものである。
【産業上の利用可能性】
【００２５】
このように、電力変換装置（本体）が特定の異常状態のエラーコードＦ３を検出した際
に、この異常を意味するエラーコードＦ３Ａ（ストリングＡの場合）を表示部１６に表示
させ、エラーコードＦ３Ａの表示コードとは異なり特定の異常状態につながる意味を示す
表示器用のエラーコードＦ３を表示器２１へ表示させることができるものであり、異常状
態が生じた際の利用者及び修理サービスマンや専門者に適した表示が行えるものである。
【００２６】
以上、本発明の一実施形態について説明したが、以上の説明は本発明の理解を容易にする
ためのものであり、本発明を限定するものではない。本発明はその趣旨を逸脱することな
く、変更、改良され得ると共に本発明にはその等価物が含まれることは勿論である。
【符号の説明】
【００２７】
１    電力変換装置
２ａ〜２ｅ    入力回路
３    電圧検出器
４    電流検出器
５    制御部
１６    表示部
２１    表示器
【図１】
2015029368.tif 000003
【図２】
2015029368.tif 000004